(57)【要約】  空気調和機の室外ユニットは、圧縮機が配置される機械室が内部に形成された外箱を備え、外箱は、機械室の前面に配置され着脱可能な機械室前板と、天面を覆う天板と、を備え、天板の前面には、ネジが挿入される天板側ネジ穴と、下端が内側にカールした形状を有するカーリング部と、が設けられており、機械室前板の前面には、その上部が背面側に凹んだ差込部が形成されており、差込部には、ネジが挿入される前板側ネジ穴と、前面側に突出した凸形状の凸部と、が設けられており、差込部を天板の前面の内側に挿入し、天板側ネジ穴の位置と前板側ネジ穴の位置とを合わせた際、凸部がカーリング部に引っ掛かるものである。
2019150413.tif 000002
【特許請求の範囲】
【請求項１】
圧縮機が配置される機械室が内部に形成された外箱を備え、
前記外箱は、
前記機械室の前面に配置され着脱可能な機械室前板と、
天面を覆う天板と、を備え、
前記天板の前面には、ネジが挿入される天板側ネジ穴と、下端が内側にカールした形状を有するカーリング部と、が設けられており、
前記機械室前板の前面には、その上部が背面側に凹んだ差込部が形成されており、
前記差込部には、ネジが挿入される前板側ネジ穴と、前面側に突出した凸形状の凸部と、が設けられており、
前記差込部を前記天板の前面の内側に挿入し、前記天板側ネジ穴の位置と前記前板側ネジ穴の位置とを合わせた際、前記凸部が前記カーリング部に引っ掛かる
空気調和機の室外ユニット。
【請求項２】
前記差込部には、背面側に凹んだ凹形状の凹部が設けられており、
前記凹部は、前記凸部よりも下方に設けられており、
前記差込部を前記天板の前面の内側に挿入し、前記天板側ネジ穴の位置と前記前板側ネジ穴の位置とを合わせた際、前記凹部に前記カーリング部が収まる
請求項１に記載の空気調和機の室外ユニット。
【請求項３】
前記凸部は、前記前板側ネジ穴よりも下方に設けられている
請求項１または２の記載の空気調和機の室外ユニット。
【発明の詳細な説明】
【技術分野】
【０００１】
本発明は、外箱の一部を形成する機械室前板を備えた空気調和機の室外ユニットに関するものである。
【背景技術】
【０００２】
従来、外箱の一部を形成する機械室前板を備えた空気調和機の室外ユニットがある（例えば、特許文献１参照）。特許文献１の機械室前板はサービス性を考慮して外箱から着脱可能な仕様となっているが、機械室前板を天板にネジ固定するために両者のネジ穴の位置を合わせる際に、機械室前板が自重により下方にずれてしまい、ネジ穴の位置が合いづらい。そこで、特許文献１では、作業性を考慮して、天板および機械室前板にそれぞれ仮固定部が設けられ、両者のネジ穴の位置が合うように天板と機械室前板とを仮固定できる構造となっている。
【先行技術文献】
【特許文献】
【０００３】
【特許文献１】特開２０１２−２２０１２７号公報
【発明の概要】
【発明が解決しようとする課題】
【０００４】
特許文献１では、仮固定部として天板に溝形状が形成されているが、外観上打痕があるように認識されてしまい意匠性が悪いという課題があった。【０００５】
本発明は、以上のような課題を解決するためになされたもので、意匠性の悪化を抑制しつつ、作業性を維持することができる空気調和機の室外ユニットを提供することを目的としている。
【課題を解決するための手段】
【０００６】
本発明に係る空気調和機の室外ユニットは、圧縮機が配置される機械室が内部に形成された外箱を備え、前記外箱は、前記機械室の前面に配置され着脱可能な機械室前板と、天面を覆う天板と、を備え、前記天板の前面には、ネジが挿入される天板側ネジ穴と、下端が内側にカールした形状を有するカーリング部と、が設けられており、前記機械室前板の前面には、その上部が背面側に凹んだ差込部が形成されており、前記差込部には、ネジが挿入される前板側ネジ穴と、前面側に突出した凸形状の凸部と、が設けられており、前記差込部を前記天板の前面の内側に挿入し、前記天板側ネジ穴の位置と前記前板側ネジ穴の位置とを合わせた際、前記凸部が前記カーリング部に引っ掛かるものである。
【発明の効果】
【０００７】
本発明に係る空気調和機の室外ユニットによれば、差込部を天板の前面の内側に挿入し、天板側ネジ穴の位置と前板側ネジ穴の位置とを合わせた際、凸部がカーリング部に引っ掛かることで仮固定することができる。このとき、カーリング部は天板の内側にカールした形状を有しており、凸部は天板の前面よりも内側に位置しており、カーリング部および凸部は外観から見えづらくなっている。そのため、意匠性の悪化を抑制しつつ、作業性を維持することができる。
【図面の簡単な説明】
【０００８】
【図１】本発明の実施の形態に係る空気調和機の室外ユニットを正面右上側から見た斜視図である。
【図２】本発明の実施の形態に係る空気調和機の室外ユニットの内部を平面視した模式図である。
【図３】本発明の実施の形態に係る空気調和機の室外ユニットの機械室前板が天板に取り付けられる直前の状態の仮固定部周辺を示す断面模式図である。
【図４】本発明の実施の形態に係る空気調和機の室外ユニットの機械室前板が外箱に取り付けられた状態の仮固定部周辺を示す断面模式図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態．
図１は、本発明の実施の形態に係る空気調和機の室外ユニット１００を正面右上側から見た斜視図である。図２は、本発明の実施の形態に係る空気調和機の室外ユニット１００の内部を平面視した模式図である。
【００１１】
以下、図１および図２に基づいて、本実施の形態に係る空気調和機の室外ユニット１００の構成について説明する。
なお、以下の説明において、理解を容易にするために方向を表す用語、例えば「上」、「下」、「右」、「左」、「前」、「後」など、を適宜用いるが、これは説明のためのものであって、これらの用語は本願発明を限定するものではない。また、本実施の形態では、室外ユニット１００を正面視した状態において、「上」、「下」、「右」、「左」、「前」、「後」などを使用する。
【００１２】
本実施の形態に係る空気調和機の室外ユニット１００は、図１に示すように外郭を構成する箱体形状の外箱１を備えている。また、室外ユニット１００は、図２に示すように外箱１の内部を送風機室１０Ａと機械室１０Ｂとに仕切るセパレータ１０を備えている。
【００１３】
送風機室１０Ａは左側に形成されており、空気と冷媒との間で熱交換を行う室外熱交換器５と、室外熱交換器５に送風を行う送風機４と、が配置されている。また、機械室１０Ｂは右側に形成されており、冷媒を圧縮する圧縮機２と、各種電気品を収容する電気品箱（図示せず）と、が配置されている。
【００１４】
なお、本実施の形態では、図１に示すように送風機４が上下方向に２つ設けられているが、それに限定されず、少なくとも１つ設けられていればよい。
【００１５】
外箱１は、図１に示すように天面を覆う天板２０と、外箱１の内部の右側に形成された機械室１０Ｂを覆う機械室板３０と、を備えている。機械室板３０は、機械室前面の上部および機械室右側面の前側の上部を覆う機械室前板３１と、機械室前面の下部および機械室右側面の前側の下部を覆う下部機械室前板３２と、機械室右側面の後側の上部および機械室背面の上部を覆う機械室後板３３と、機械室右側面の後側の下部および機械室背面の下部を覆う下部機械室後板３４と、で構成されている。
【００１６】
また、機械室前板３１は、外箱１の一部を形成し、外箱１から着脱可能に構成されている。
【００１７】
図３は、本発明の実施の形態に係る空気調和機の室外ユニット１００の機械室前板３１が天板２０に取り付けられる直前の状態の仮固定部周辺を示す断面模式図である。なお、図３は、室外ユニット１００を右側面側から見た際の縦断面の一部を示している。
【００１８】
次に、図３に基づいて、本実施の形態に係る空気調和機の室外ユニット１００の仮固定部の構造について説明する。
図３に示すように、天板２０の前面には、固定用のネジ７（後述する図４参照）が挿入される天板側ネジ穴２０ｂが形成されている。また、その天板側ネジ穴２０ｂの下方の端部には、天板２０の内側にカールした形状を有するカーリング部２０ａが設けられている。
【００１９】
機械室前板３１の前面の上部には、背面側に凹んだ差込部４０が形成されている。この差込部４０には、ネジ７が挿入される前板側ネジ穴４０ｂと、凸部４０ａと、凹部４０ｃと、が設けられている。凸部４０ａは、前板側ネジ穴４０ｂの下方に設けられており、天板２０のカーリング部２０ａに引っ掛かるように前面側に突出した凸形状を有している。凹部４０ｃは、凸部４０ａの下方に設けられており、天板２０のカーリング部２０ａが収まるように背面側に凹んだ凹形状を有している。
【００２０】
以上のように、本実施の形態に係る空気調和機の室外ユニット１００の仮固定部は、天板２０のカーリング部２０ａと、機械室前板３１の凸部４０ａおよび凹部４０ｃとで構成されている。
【００２１】
また、機械室前板３１の凸部４０ａ、前板側ネジ穴４０ｂ、および、凹部４０ｃは、背面側に凹んだ差込部４０に設けられており、機械室前板３１の前面の他の部分、つまり差込部４０よりも下側の部分よりも外箱１の内側に位置している。
【００２２】
また、天板側ネジ穴２０ｂは、カーリング部２０ａよりも上側に設けられており、凸部４０ａは、前板側ネジ穴４０ｂよりも下側に設けられている。
【００２３】
また、天板２０の天板側ネジ穴２０ｂからカーリング部２０ａまでの距離と、機械室前板３１の前板側ネジ穴４０ｂから凹部４０ｃまでの距離とがほぼ等しくなっている。
【００２４】
なお、本実施の形態では、凸部４０ａは差込部４０に１つ設けられている構成としたが、それに限定されず、２つ以上設けられている構成としてもよい。
【００２５】
図４は、本発明の実施の形態に係る空気調和機の室外ユニット１００の機械室前板３１が外箱１に取り付けられた状態の仮固定部周辺を示す断面模式図である。なお、図４は、室外ユニット１００を右側面側から見た際の縦断面の一部を示している。
【００２６】
次に、図３および図４に基づいて、本実施の形態に係る空気調和機の室外ユニット１００の機械室前板３１の外箱１への取り付け方法について説明する。
図３に示すように天板２０の前面と機械室前板３１の前面とが前後方向において同じ位置にある状態から、機械室前板３１の差込部４０を上方に移動させて天板２０の前面の内側に挿入する。そして、天板側ネジ穴２０ｂの位置と前板側ネジ穴４０ｂの位置とを上下方向において合わせる。
【００２７】
このとき、図４に示すように機械室前板３１の凸部４０ａが天板２０のカーリング部２０ａに引っ掛かり、機械室前板３１の凹部４０ｃに天板２０のカーリング部２０ａが収まることで、機械室前板３１が天板２０に仮固定される。この状態で、ネジ７により機械室前板３１を天板２０にネジ固定する。
【００２８】
従来では、仮固定部として天板に溝形状が形成されており、その溝形状が、外観上打痕があるように認識されてしまい意匠性が悪いという課題があった。
【００２９】
本実施の形態では、仮固定部として天板２０にカーリング部２０ａが設けられているが、このカーリング部２０ａは天板２０の内側にカールした形状を有している。また、機械室前板３１の凸部４０ａおよび凹部４０ｃは、機械室前板３１が天板２０に取り付けられた状態で、天板２０の前面よりも内側に位置している。つまり、機械室前板３１が天板２０に取り付けられた状態では、仮固定部は外観から見えづらくなっているため、意匠性の悪化を抑制しつつ、作業性を維持することができる。
【００３０】
また、従来では、仮固定部として機械室前板の上部に差込部が形成されており、この差込部が天板の内側に差し込まれた際に、差込部が天板に形成された溝形状に押されて背面側へたわみ、その反発力で天板の内側と密着して仮固定される構造となっていた。しかしながら、この構造では機械室前板を天板に取り付けた際も機械室前板の差込部がたわむ。そして、機械室前板を天板に取り付けた際に生じるたわみによって機械室前板の差込部の一部が変形してしまい、機械室前板および天板のネジ穴の位置が合いづらくなり、機械室前板を天板にネジ固定しづらくなるという課題があった。
【００３１】
本実施の形態では、機械室前板３１の凸部４０ａ、前板側ネジ穴４０ｂ、および、凹部４０ｃが設けられている差込部４０は、機械室前板３１の前面の他の部分よりも外箱１の内側に位置している。そして、機械室前板３１の凸部４０ａが天板２０のカーリング部２０ａに引っ掛かり、機械室前板３１の凹部４０ｃに天板２０のカーリング部２０ａが収まることで、機械室前板３１が天板２０に仮固定される。
【００３２】
このように、機械室前板３１が天板２０に仮固定された際に、天板２０のカーリング部２０ａは凹部４０ｃに収まる。そのため、その際にかかる応力は凸部４０ａのみであり、機械室前板３１がたわんで変形するような外力がほとんど加わらない状態で機械室前板３１と天板２０とをネジ固定することができる。つまり、機械室前板３１が変形することなく機械室前板３１と天板２０とをネジ固定することができる。その結果、天板側ネジ穴２０ｂおよび前板側ネジ穴４０ｂの位置が合いづらくなり、機械室前板３１の変形によって機械室前板３１を天板２０にネジ固定しづらくなるのを抑制することができる。
【００３３】
また、本実施の形態に係る空気調和機の室外ユニット１００では、天板２０の天板側ネジ穴２０ｂからカーリング部２０ａまでの距離と、機械室前板３１の前板側ネジ穴４０ｂから凹部４０ｃまでの距離とがほぼ等しくなっている。そのため、天板側ネジ穴２０ｂの位置と前板側ネジ穴４０ｂの位置とを上下方向において合わせ易く、機械室前板３１と天板２０とを容易にネジ固定することができる。
【００３４】
以上、本実施の形態に係る空気調和機の室外ユニット１００は、圧縮機２が配置される機械室１０Ｂが内部に形成された外箱１を備え、外箱１は、機械室１０Ｂの前面に配置され着脱可能な機械室前板３１と、天面を覆う天板２０と、を備え、天板２０の前面には、ネジ７が挿入される天板側ネジ穴２０ｂと、下端が内側にカールした形状を有するカーリング部２０ａと、が設けられており、機械室前板３１の前面には、その上部が背面側に凹んだ差込部４０が形成されており、差込部４０には、ネジ７が挿入される前板側ネジ穴４０ｂと、前面側に突出した凸形状の凸部４０ａと、が設けられており、差込部４０を天板２０の前面の内側に挿入し、天板側ネジ穴２０ｂの位置と前板側ネジ穴４０ｂの位置とを合わせた際、凸部４０ａがカーリング部２０ａに引っ掛かるものである。
【００３５】
本実施の形態に係る空気調和機の室外ユニット１００によれば、差込部４０を天板２０の前面の内側に挿入し、天板側ネジ穴２０ｂの位置と前板側ネジ穴４０ｂの位置とを合わせた際、凸部４０ａがカーリング部２０ａに引っ掛かることで仮固定することができる。このとき、カーリング部２０ａは天板２０の内側にカールした形状を有しており、凸部４０ａは天板２０の前面よりも内側に位置しており、カーリング部２０ａおよび凸部４０ａは外観から見えづらくなっている。そのため、外箱１から着脱可能な機械室前板３１を備えた空気調和機の室外ユニット１００において、意匠性の悪化を抑制しつつ、作業性を維持することができる。
【００３６】
また、本実施の形態に係る空気調和機の室外ユニット１００は、差込部４０には、背面側に凹んだ凹形状の凹部４０ｃが設けられており、凹部４０ｃは、凸部４０ａよりも下方に設けられており、差込部４０を天板２０の前面の内側に挿入し、天板側ネジ穴２０ｂの位置と前板側ネジ穴４０ｂの位置とを合わせた際、凹部４０ｃにカーリング部２０ａが収まるものである。
【００３７】
本実施の形態に係る空気調和機の室外ユニット１００によれば、機械室前板３１が天板２０に仮固定された際に、天板２０のカーリング部２０ａは凹部４０ｃに収まる。そのため、その際にかかる応力は凸部４０ａのみであり、機械室前板３１がたわんで変形するような外力が加わらない状態で機械室前板３１と天板２０とをネジ固定することができる。つまり、機械室前板３１が変形することなく機械室前板３１と天板２０とをネジ固定することができる。その結果、天板側ネジ穴２０ｂおよび前板側ネジ穴４０ｂの位置が合いづらくなり、機械室前板３１の変形によって機械室前板３１を天板２０にネジ固定しづらくなるのを抑制することができる。
【符号の説明】
【００３８】
１  外箱、２  圧縮機、４  送風機、５  室外熱交換器、７  ネジ、１０  セパレータ、１０Ａ  送風機室、１０Ｂ  機械室、２０  天板、２０ａ  カーリング部、２０ｂ  天板側ネジ穴、３０  機械室板、３１  機械室前板、３２  下部機械室前板、３３  機械室後板、３４  下部機械室後板、４０  差込部、４０ａ  凸部、４０ｂ  前板側ネジ穴、４０ｃ  凹部、１００  室外ユニット。
【図１】
2019150413.tif 000003
【図２】
2019150413.tif 000004
【図３】
2019150413.tif 000005
【図４】
2019150413.tif 000006
【手続補正書】
【提出日】令和2年5月7日(2020.5.7)
【手続補正１】
【補正対象書類名】明細書
【補正対象項目名】０００６
【補正方法】変更
【補正の内容】
【０００６】
本発明に係る空気調和機の室外ユニットは、圧縮機が配置される機械室が内部に形成された外箱を備え、前記外箱は、前記機械室の前面に配置され着脱可能な機械室前板と、天面を覆う天板と、を備え、前記天板の前面には、ネジが挿入される天板側ネジ穴と、下端が内側にカールした形状を有するカーリング部と、が設けられており、前記機械室前板の前面には、その上部が背面側に凹んだ差込部が形成されており、前記差込部には、ネジが挿入される前板側ネジ穴と、前記前板側ネジ穴の開口部の位置よりも前面側に突出した凸形状の凸部と、が設けられており、前記差込部を前記天板の前面の内側に挿入し、前記天板側ネジ穴の位置と前記前板側ネジ穴の位置とを合わせた際、前記凸部が前記カーリング部に引っ掛かるものである。
【手続補正２】
【補正対象書類名】特許請求の範囲
【補正対象項目名】全文
【補正方法】変更
【補正の内容】
【特許請求の範囲】
【請求項１】
圧縮機が配置される機械室が内部に形成された外箱を備え、
前記外箱は、
前記機械室の前面に配置され着脱可能な機械室前板と、
天面を覆う天板と、を備え、
前記天板の前面には、ネジが挿入される天板側ネジ穴と、下端が内側にカールした形状を有するカーリング部と、が設けられており、
前記機械室前板の前面には、その上部が背面側に凹んだ差込部が形成されており、
前記差込部には、ネジが挿入される前板側ネジ穴と、前記前板側ネジ穴の開口部の位置よりも前面側に突出した凸形状の凸部と、が設けられており、
前記差込部を前記天板の前面の内側に挿入し、前記天板側ネジ穴の位置と前記前板側ネジ穴の位置とを合わせた際、前記凸部が前記カーリング部に引っ掛かる
空気調和機の室外ユニット。
【請求項２】
前記差込部には、背面側に凹んだ凹形状の凹部が設けられており、
前記凹部は、前記凸部よりも下方に設けられており、
前記差込部を前記天板の前面の内側に挿入し、前記天板側ネジ穴の位置と前記前板側ネジ穴の位置とを合わせた際、前記凹部に前記カーリング部が収まる
請求項１に記載の空気調和機の室外ユニット。
【請求項３】
前記凸部は、前記前板側ネジ穴よりも下方に設けられている
請求項１または２に記載の空気調和機の室外ユニット。
【国際調査報告】
2019150413.tif 000007
2019150413.tif 000008